(57)【特許請求の範囲】
【請求項１】
一時的に貯留される水と空気との気液界面に水を突入させることで気泡混入水を生成し吐出する吐水装置であって、
水を給水元から流入させる流入口を備える第１部材と、
第１吐水口と、前記第１吐水口とは別に設けられる第２吐水口と、
前記流入口側から前記第１吐水口に至る第１流路と、前記流入口側から前記第２吐水口に至る第２流路と、を有する第２部材と、を備え
前記第１部材と前記第２部材との相対的な位置関係を前記第１部材もしくは前記第２部材を移動させることによって、前記流入口からの水の供給先を前記第１流路および前記第２流路のいずれか一方に切り替え可能な切替機構を有しており、
前記第１流路および前記第２流路の少なくとも一方の流路は、前記流入口からの水に空気を導入するための空気導入部と、
前記空気導入部から導入された空気を水に混入させることによって生成された気泡混入水を貯留する気泡混入水貯留部と、
前記空気導入部と前記気泡混入水貯留部との間に設けられ、前記気泡混入水貯留部から前記空気導入部側へ気泡混入水が逆流することを防止するよう前記気泡混入水貯留部の流路断面積よりも小さく構成される逆流防止部と、を有しており、
前記逆流防止部の流路断面形状は、前記第１部材もしくは前記第２部材の移動方向側が長手方向となるよう扁平形状に構成されていることを特徴とする吐水装置。
【請求項２】
前記逆流防止部の流路断面形状の短手方向の流路幅は、略均一な幅となるように構成されていることを特徴とする請求項１に記載の吐水装置。
【発明の詳細な説明】
【技術分野】
【０００１】
本発明は、気泡混入水を吐出することが可能な吐水装置に関する。
【背景技術】
【０００２】
従来、吐水装置として、吐水に気泡を混入させ気泡混入水を吐出するものが提案されている（例えば、特許文献１参照）。
【０００３】
下記特許文献１では、シャワー状の水を吐出させるシャワー吐水と単一のまとまった水流を吐出させる整流吐水とを切り替え可能にした吐水装置が提案されている。この吐水装置は、いずれの吐水口からも気泡混入水を吐出することで、流速を維持しながら少ない水量でも大きな水粒を吐出させ、節水を実現したものである。
【０００４】
特許文献１に開示される吐水装置では、水を給水元から流入させる流入口（噴射孔部）が設けられ、この流入口から流入する水流に空気取入通路を介して導入された空気を泡沫状にして混入させる。具体的には、流入口から水が噴射されることにより、内部の空間に負圧を発生させ、この負圧により空気取入通路を介して導入された空気が、流入口から流入する水流に巻き込まれて小さな泡沫状にされ、水に混入される。この泡沫状の空気が混入した気泡混入水を、シャワー状の水流を吐出するシャワー吐水口と、単一のまとまった水流として吐出する整流吐水口とからそれぞれ切替機構により切り替えて吐出するものである。この吐水装置では、シャワー吐水口は外周側に配置し、整流吐水口はシャワー吐水口の内側の中央部分に配置するとともに、シャワー吐水口に並べてシャワー吐水口と整流吐水口とは別に空気取入口を設けている。
【先行技術文献】
【特許文献】
【０００５】
【特許文献１】特開２０１０−１６７０８６号公報
【発明の概要】
【発明が解決しようとする課題】
【０００６】
ところで、特許文献１に開示されるような吐水装置において、装置全体をコンパクトにし、又はデザインを良くするには、流入口を多数設けることは好ましくない。例えば、第１吐水口（シャワー吐水）と第２吐水口（整流吐水）のための流入口を、それぞれ設けるとなると、吐水口の位置に合わせて、それぞれの吐水口専用の流入口を配置しなければならず、流入口の数が多くなる。そこで、第１吐水口（シャワー吐水）と第２吐水口（整流吐水）の流入口を共用することで、流入口の数を増やすことなくコンパクトかつデザインの優れた吐水装置を提供できる。
【０００７】
しかしながら、流入口を共用した場合、第一吐水口流入口を共用した場合、切替機構によって流入口からの水の供給先を第１流路および第２流路のいずれか一方に変更しなければならない。さらに、気泡混入水を吐水する際には水に空気を混入させるために流速の高い水を流入口から噴射しなければならない。このように、流入口からの供給される水の流速が高いと、水栓が振動してしまい、この振動によって切替機構が移動してしまい、シャワー流路の上流側の流路と流入口との位置がずれてしまい、気泡混入量が低下してしまう恐れがある。
【０００８】
本発明はこのような課題に鑑みてなされたものであり、その目的は、複数の吐水口へ水を供給する流入口を共用した場合でも、気泡混入量を低下させることなく気泡混入水を吐出させることが可能な吐水装置を提供することにある。
【課題を解決するための手段】
【０００９】
上記課題を解決するために、本発明に係る吐水装置は、一時的に貯留される水と空気との気液界面に水を突入させることで気泡混入水を生成し吐出する吐水装置であって、水を給水元から流入させる流入口を備える第１部材と、第１吐水口と、前記第１吐水口とは別に設けられる第２吐水口と、前記流入口側から前記第１吐水口に至る第１流路と、前記流入口側から前記第２吐水口に至る第２流路と、を有する第２部材と、を備え前記第１部材と前記第２部材との相対的な位置関係を前記第１部材もしくは前記第２部材を移動させることによって、前記流入口からの水の供給先を前記第１流路および前記第２流路のいずれか一方に切り替え可能な切替機構を有しており、前記第１流路および前記第２流路の少なくとも一方の流路は、前記流入口からの水に空気を導入するための空気導入部と、前記空気導入部から導入された空気を水に混入させることによって生成された気泡混入水を貯留する気泡混入水貯留部と、前記空気導入部と前記気泡混入水貯留部との間に設けられ、前記気泡混入水貯留部から前記空気導入部側へ気泡混入水が逆流することを防止するよう前記気泡混入水貯留部の流路断面積よりも小さく構成される逆流防止部と、を有しており、前記逆流防止部の流路断面形状は、前記第１部材もしくは前記第２部材の移動方向側が長手方向となるよう扁平形状に構成されている。
【００１０】
このような本発明によれば、第１部材と第２部材との相対的な位置関係を第１部材もしくは第２部材を移動させることによって、流入口からの水の供給先を第１流路および第２流路の少なくとも一方に切り替えることで、流入口を共用し、流入口の数を増加させることなく、第１吐水口および第２吐水口から気泡混入水を吐水することできるため、コンパクトかつデザインの優れた吐水装置を提供できる。さらに、逆流防止部の流路断面積を気泡混入水貯留部の流路断面積よりも小さくすることで、気泡混入水貯留部側から空気導入部側へ気泡混入水が逆流することを防止することができ、気泡混入量が低下することを防止することができる。さらに、逆流防止部の流路断面形状を第１部材もしくは第２部材の移動方向側が長手方向となるよう扁平形状に構成することで、所望の気泡混入量が維持できる領域を大きくし、流入口からの供給される水によって振動が発生し、流入口と逆流防止部の位置関係がずれて気泡混入量が低下することを抑制することができる。
【００１１】
本発明に係る吐水装置では、逆流防止部の流路断面形状の短手方向の流路幅は、略均一な幅となるように構成することとしても好ましい。この好ましい態様では、短手方向の流路幅を略均一とすることで、気泡混入量が低下することを抑制するとともに、気泡混入量が変動してしまうことを抑制することができる。
【発明の効果】
【００１２】
本発明によれば、複数の吐水口へ水を供給する流入口を共用した場合でも、気泡混入量を低下させることなく気泡混入水を吐出させることが可能な吐水装置を提供することができる。
【図面の簡単な説明】
【００１３】
【図１】本発明の実施形態に係る吐水口キャップを取り付けた水栓ユニットを示す斜視図である。
【図２】図１に示す吐水口キャップの全体構成を示す断面図である。
【図３】図１に示す吐水口キャップの流入口とシャワー流路及び整流流路の関係を示す模式図である。
【図４】図３に示す吐水口キャップのシャワー流路の作用の概略を示す断面図である。
【図５】図１に示す吐水口キャップの作用の概略を示す模式図である。
【発明を実施するための形態】
【００１４】
以下、添付図面を参照しながら本発明の実施の形態について説明する。説明の理解を容易にするため、各図面において同一の構成要素に対しては可能な限り同一の符号を付して、重複する説明は省略する。
【００１５】
本発明の実施形態である吐水口キャップ（吐水装置）１の概略について図１〜図４を参照して説明する。図１は、吐水口キャップ１が水栓装置ＦＣの構成要素として洗面化粧台Ｓに用いられた例を示す斜視図である。図２は、吐水口キャップ１の断面図であり、図３は、図１に示す吐水口キャップの流入口とシャワー流路及び整流流路の関係を示す模式図である。
【００１６】
吐水口キャップ１は、水栓装置ＦＣの吐水口部分に用いられる構成部品である。水栓装置ＦＣは、一例として図１に示すように、洗面化粧台Ｓの洗面器に取り付けられるものであって、ステンレス等により細長の筒状に形成され、水を溜めたり水を受けたりするためのボウル部Ｂに向かって吐水するためのものである。水栓装置ＦＣは、ボウル部の周辺に取り付けられて、水の給水元である水道管と接続される。
【００１７】
図１に示すように、吐水口キャップ１は、水栓装置ＦＣに外装を覆われるようにして先端部に取り付けられ、水道管から供給された水を、複数の細い水流からなるシャワー吐水と、単一のまとまった水流とする整流吐水として吐出させるように構成される。このシャワー吐水及び整流吐水は、いずれも外部から空気が吸入され、泡沫状にされた空気が混入されることにより、気泡混入水を吐出する。また、吐水口キャップ１は、先端部を回転させることにより、シャワー吐水と整流吐水とを切り替えることができるように構成されている。
【００１８】
続いて図２及び図３を用いて、吐水口キャップ１の具体的な構成について説明する。図２（ａ）は、図３（ａ）に示すＡ−Ａ断面図であり、図２（ｂ）は、図３（ｃ）におけるＢ−Ｂ断面図である。
【００１９】
吐水口キャップ１は、全体が円筒形状で、第１筒部１０と第２筒部２０とから構成される。第１筒部１０に対して第２筒部２０を回転させることにより、上述したようにシャワー吐水と整流吐水とを切り替え可能に構成される。
【００２０】
ここで、図２（ａ）及び図３（ａ）に示す状態が、整流流路に水を流し、この水にシャワー流路からの空気を混入させる第１状態（以下、「整流状態」という。）であり、図２（ｂ）及び図３（ｃ）に示す状態が、シャワー流路に水を流し、この水に整流流路からの空気を混入させる第２状態（以下、「シャワー状態」という。）である。図３は、第１筒部１０を第１筒部１０の底部側（図２における第２筒部２０側）から見た図であり、破線で示すのは第２筒部２０で、これは第２筒部２０の位置を第１筒部１０に投影させて示したものである。図３の各図では、第１筒部１０に対して第２筒部２０を回転させた様子を示している。
【００２１】
第１筒部１０は、図２及び図３に示すように、供給元である水道管から水を流入させる流入口１１を、円周上に複数（ここでは等間隔に８個）備える。流入口１１は、第１筒部１０の外周に沿って設けられ、図２（ｂ）及び図３（ｃ）に示すシャワー状態においては、後述するシャワー流路２４と連通する位置に形成される。
【００２２】
第２筒部２０は、気泡混入水を単一のまとまった水流として吐出する整流吐水口２１と、整流吐水口２１の外周に配置され気泡混入水をシャワー状に吐出するシャワー吐水口２２と、を備える。また、第２筒部２０は、流入口１１から整流吐水口２１に至る整流流路２３と、流入口１１からシャワー吐水口２２に至るシャワー流路２４と、を備える。
【００２３】
整流吐水口２１は、第２筒部２０の中央部分に形成され、格子状を成し多数の微細な孔が形成された整流網２１ａが配置されている。整流吐水口２１から吐出される水は、整流網２１ａの孔を経ることで乱れが抑制され、ボウル部Ｂ等に対する飛散が抑制された穏やかな流れとなる。また、整流網２１ａにより、整流吐水口２１に流入する水に流路抵抗を与えることで、後述する整流流路２３に吐出する水を一時的に貯留し、貯留された水と、空気との気液界面（後述）を形成する。
【００２４】
シャワー吐水口２２は、後述するシャワー流路２４の先端に形成される複数の微小の孔からなり、シャワー流路２４を流れる水をシャワー吐水として吐出する。このシャワー吐水口２２も、シャワー流路２４を流れる水に対して流路抵抗を与えることで、吐出される水に流速を付与するとともに、吐出する水を一時的に貯留し、貯留された水と、空気との気液界面（後述）を形成する。
【００２５】
整流流路２３は、外周側に形成された流入口１１側から中央側に形成された整流吐水口２１に向かって水を導く流路であり、整流吐水口２１に向かってテーパ形状を成す流路壁２３ａを有する。流路壁２３ａは、基本的には、整流吐水口２１に向かってテーパ状に形成されれば良いが、本実施形態では、整流網２１ａを設けた上流側を最小径のくびれ部２３ｂを設け、くびれ部２３ｂより下流側の径を拡げて整流吐水口２１に至るよう形成されている。
【００２６】
整流流路２３には、流路壁２３ａから突出して形成され、整流流路２３を円周上で複数の区画流路２３ｄに区画するガイド部２３ｃが設けられる。ガイド部２３ｃは、円周上に複数個（ここでは、８個）の円筒部材を、テーパ状の流路壁２３ａに対して垂直方向に突き刺したようにして設けられている。したがって、ガイド部２３ｃは、全体として、流入口１１側よりも整流吐水口２１側のほうが細くなるように形成される。本実施形態では、特に、ガイド部２３ｃは、流入口１１側から整流吐水口２１に向かって一定の幅で形成される第１領域２３ｃ１と、第１の領域２３ｃ１よりも下流側で徐々に細くなる第２領域２３ｃ２とからなる。
【００２７】
また、ガイド部２３ｃによって区画される区画流路２３ｄは、上記第１領域２３ｃ１と第２の領域２３ｃ２に沿って上流側は一定の幅で形成された後、下流側で徐々に拡がるようになっている。そして、区画流路２３ｄは、くびれ部２３ｂの上流側において一つの流路として合流するようになっている。
【００２８】
このように、ガイド部２３ｃによって区画される区画流路２３ｄは、流入口１１から整流吐水口２１に向かう水の流れが、流路壁２３ａを蛇行して進まず、また、他の区画流路２３ｄを流れる水と合流しないように規制するものである。ガイド部２３ｃは、理想的には、水がテーパ状の流路壁２３ａの円錐中心方向に向かって直線状に進行するように規制するものであり、言い換えれば、後述する気液界面の中心軸に向かって最短距離で規制するものである。
【００２９】
シャワー流路２４は、外周側に形成された流入口１１からシャワー吐水口２２に向かって水を導く流路である。具体的には、シャワー流路２４は、第２筒部２０において、流路壁２３ａを隔てて、整流流路２３の外側に配置される。シャワー流路２４は、上流側が筒状の縦穴２４ａを円周上に複数配置するとともに、下流側には、第２筒部２０の下部を円周状にドーナツ型に貫通して、一時的に水を貯留する滞留部２４ｂを備える。
【００３０】
シャワー流路２４を構成する縦穴２４ａは、流入口１１からの水が重力方向直下に流下するように、流入口１１の外周上の位置に合わせて、第２筒部２０の外周側に複数個（ここでは、等間隔に８個）設けられている。なお、この縦穴２４ａの壁面は、整流流路２３内に突出することで、整流流路２３内ではガイド部２３ｃとして機能している。
【００３１】
一方、シャワー流路２４の他の構成要素である滞留部２４ｂは、整流流路２３の流路壁２３ａがテーパ状の傾斜を成す部分において、第２筒部２０の内側方向に突出して容積が拡がっている。この部分は、整流流路２３側に突出した状態となり、整流流路２３側には、流路壁２３ａを隔ててくびれ部２３ｂが形成されている。
【００３２】
また、滞留部２４ｂは、それより下流側の流路壁２３ａが整流網２１ａの設けられた整流吐水口２１に向かって拡がる部分において、円環状に段部２４ｃを有する。この段部２４ｃは、縦穴２４ａの断面と少なくとも一部が重なるように配置されている。したがって、吐水口キャップ１の第２筒部２０を回転させて、整流状態からシャワー状態へ切り替えた場合に、シャワー流路２４の縦穴２４ａから流入した水は、まず、直下に流れることで、段部２４ｃに衝突するようになっている。なお、本実施形態では、縦穴２４ａから流れる水の一部が段部２４ｃに衝突し、他の部分は段部２４ｃに衝突しないように構成されるのが望ましい。また、本実施形態において、段部２４ｃが、第２筒部２０の一部として形成されているように、シャワー吐水口２２と同一の部材で形成されるなど、段部２４ｃとシャワー吐水口２２とが固定的に形成されていることが好ましい。
【００３３】
このような縦穴２４ａと滞留部２４ｂとによりシャワー流路２４を形成することで、シャワー流路２４のうち、上流側（縦穴２４ａ）の流路断面積を、下流側（滞留部２４ｂ）の流路断面積よりも小さくすることができる。これにより、シャワー吐水時に、流入口１１からシャワー流路２４に流れてくる水を、縦穴２４ａから滞留部２４ｂに向けて勢いよく噴出することができ、シャワー流路２４内の水が、シャワー吐水口２２の流路抵抗によって流入口１１側に逆流することを防止できる。
【００３４】
一方、シャワー吐水時に縦穴２４ａから噴射される水の勢いが増すと、その水を受けとめる滞留部２４ｂや滞留部２４ｂに形成される気液界面の振動が増大するため、第２筒部２０が動きやすく（回転しやすく）なる。第２筒部２０が動くと、シャワー状態に位置決めされた第２筒部２０の位置が、整流状態方向にずれてしまうことになる。
【００３５】
シャワー状態では、流入口１１からシャワー流路２４に向かって水を噴出させることで、整流流路２３側に負圧を発生させ、その負圧によって整流吐水口２１から整流流路２３を介してシャワー流路２４に空気を流入させることで、気泡混入水を生成している。
【００３６】
したがって、シャワー状態において、シャワー吐水用に位置決めされた流入口１１と縦穴２４ａとの位置関係がずれてしまうと、シャワー吐水における気泡混入量が低下してしまう懸念がある。
【００３７】
そこで、流入口１１と縦穴２４ａとの位置関係がずれてしまってもシャワー吐水時に必要な気泡混入量を確保することができるように、縦穴２４ａの流路断面形状は第２筒部２０が移動する方向である移動方向側が長手方向となるよう扁平形状に形成されている。
【００３８】
さらに、流路断面形状が扁平形状に形成された縦穴２４ａの長手方向と直交する短手方向の幅は、略均一の幅になるように構成されている。
【００３９】
図４は吐水口キャップのシャワー流路の作用の概略を示す断面図である。
図４（ａ）は、図３（ｃ）の流入口１１を拡大し投影させた図面であり、流入口１１と縦穴２４ａの中心線Ｌ上に位置している理想的な状態を表している。図４（ｂ）は、流入口１１が図４（ａ）の位置のときの縦穴２４ａの作用を表している。図４（ｃ）は、図３（ｃ）の流入口１１を拡大し投影させた図面であり、流入口１１と縦穴２４ａの中心線Ｌがずれた位置を表している。図４（ｄ）は、流入口１１が図４（ｃ）の位置の時の縦穴２４ａの作用を表している。
【００４０】
図４（ａ）および図４（ｂ）に示すように、縦穴２４ａの中心線Ｌに対して流入口１１が中心線Ｌ上に配置される時は、流入口１１からの水は縦穴２４ａの中心に噴射されることになり、気泡混入量が低下することなく気泡混入水を吐水することができる。
【００４１】
図４（ｃ）および図４（ｄ）に示すように、流入口１１から水が噴射されることにより振動が発生し、縦穴２４ａの中心線Ｌに対して流入口１１が中心線Ｌからずれた状態であっても、縦穴２４ａの流路断面形状を扁平形状とすることで、所望の気泡混入量を維持できる領域が大きくなり、気泡混入量が低下することを抑制することができる。
【００４２】
さらに、縦穴２４ａの流路断面形状は、長手方向と短手方向を持つ扁平形状に形成されており、短手方向の流路断面の幅は略均一となるように構成することで、気泡混入量が変化することを防止することができる。より具体的には、短手方向の幅が変化してしまうと、幅が広い位置に噴射される場合は、空気との接触面積が大きくより多くの気泡を混入することができるが、幅が狭い位置に噴射される場合は空気との接触面積が小さくなり気泡混入量が低下してしまう。短手方向の幅を大きくすれば、空気との接触面積が小さくなることを防止することができるが、短手方向の幅を大きくすることは、逆流を防止することができないことや、小型化できないことから好ましくない。
【００４３】
上述した構成からなる吐水口キャップ１の作用の概略について、図５を用いて説明する。図５（ａ）は、第１状態である整流状態として、整流流路２３に水Ｗを流し、水Ｗにシャワー流路２４からの空気Ａｉｒを混入させる吐水状態を示す図である。また、同図（ｂ）は、第２状態であるシャワー状態として、シャワー流路２４に水Ｗを流し、水Ｗに整流流路２３からの空気Ａｉｒを混入させる吐水状態を示す図である。
【００４４】
図５（ａ）に示すように、整流状態においては、第１筒部１０の外周上に複数形成された流入口１１から水Ｗが供給されると、水Ｗは重力方向に流下し、整流流路２３に流入して、流路壁２３ａに衝突する。水Ｗは、流路壁２３ａからはねたり、流路壁２３ａを伝って流下して、整流吐水口２１側に導かれる。なお、この整流状態における流入口１１と第２筒部２０との関係は図３（ａ）に示す状態である。
【００４５】
このとき、シャワー吐水口２２は空気導入口として機能し、シャワー流路２４は空気流路として機能する。すなわち、図５（ａ）に示すように、流入口１１から整流流路２３に向かって水が噴出されることにより、シャワー流路２４には負圧が生じ、シャワー吐水口２２からシャワー流路２４を介して空気Ａｉｒが整流流路２３に向かって流入する。空気Ａｉｒは、滞留部２４ｂから縦穴２４ａを通って、整流流路２３内に流入し、水Ｗの流れに巻き込まれて泡沫状にされる。
【００４６】
整流吐水口２１には、整流網２１ａ上に一時的に水が滞留することにより、気液界面Ｉａが形成されている。この気液界面Ｉａに水Ｗが突入し、これに泡沫状にされた空気Ａｉｒが混入することにより、気泡混入水Ｂｗが生成される。気泡混入水Ｂｗは、整流網２１ａを通過して整流吐水口２１から順次吐出される。
【００４７】
一方、図５（ｂ）に示すように、シャワー状態においては、第１筒部１０の外周上に複数形成された流入口１１から水Ｗが供給されると、水Ｗは重力方向に流下し、シャワー流路２４の縦穴２４ａに流入して、そのまま直下の滞留部２４ｂに導かれる。なお、このシャワー状態における流入口１１と第２筒部２０との関係は図３（ｃ）に示す状態である。
【００４８】
このとき、整流吐水口２１は空気導入口として機能し、整流流路２３は空気流路として機能する。すなわち、図５（ｂ）に示すように、流入口１１からシャワー流路２４に向かって水が噴出されることにより、整流流路２３側には負圧が生じ、整流吐水口２１から整流流路２３を介して空気Ａｉｒがシャワー流路２４に向かって流入する。空気Ａｉｒは、整流網２１ａから整流流路２３を通過して、シャワー流路２４の縦穴２４ａに流入し、水Ｗの流れに巻き込まれて泡沫状にされる。
【００４９】
シャワー流路２４では、シャワー吐水口２２の流路抵抗により、滞留部２４ｂに一時的に水が滞留することにより、気液界面Ｉｂが形成される。この気液界面Ｉｂに水Ｗが突入し、これに泡沫状にされた空気Ａｉｒが混入することにより、気泡混入水Ｂｗが生成される。気泡混入水Ｂｗは、シャワー吐水口２２を通過して外部に吐出される。
【００５０】
上述したように、本発明の実施形態によれば、第１筒部１０と第２筒部２０との相対的な位置関係を変えることで、流入口１１から整流流路２３に水を流し当該水にシャワー流路２４からの空気を混入させる整流状態と、流入口１１からシャワー流路２４に水を流し当該水に整流流路２３からの空気を混入させるシャワー状態とを切り替えることができ、シャワー流路２４の上流側の流路断面積を下流側の流路断面積よりも小さく形成することで、シャワー吐水におけるシャワー流路２４内での逆流を防止することができ、縦穴２４ａの流路断面形状を扁平形状に構成することで、所望の気泡混入量とする領域を広くすることができる。
【００５１】
これにより、吐水時における第１筒部１０と第２筒部２０との位置関係のずれを所定の範囲内に納めることができるため、第１筒部１０と第２筒部２０との位置関係がずれることで懸念される気泡混入量の低下を抑制することができる。
【００５２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状などは、例示したものに限定されるわけではなく適宜変更することができる。また、前述した各具体例が備える各要素は、技術的に可能な限りにおいて組み合わせることができ、これらを組み合わせたものも本発明の特徴を含む限り本発明の範囲に包含される。
【符号の説明】
【００５３】
１：吐水口キャップ
１０：第１筒部（第１部材）
１１：流入口
１２ａ：突起部
１２ｂ：突起部
１３ａ：ストッパー部
１３ｂ：ストッパー部
１４：突起部
１５ａ：ストッパー部
１５ｂ：ストッパー部
２０：第２筒部（第２部材）
２１：整流吐水口（第１吐水口）
２１ａ：整流網
２２：シャワー吐水口（第２吐水口）
２３：整流流路（第１流路）
２３ａ：流路壁
２３ｂ：くびれ部
２３ｃ：ガイド部
２３ｃ１：第１領域
２３ｃ２：第２領域
２３ｄ：区画流路
２４：シャワー流路（第２流路）
２４ａ：縦穴（逆流防止部）
２４ｂ：滞留部（気泡混入水貯留部）
２４ｃ：段部
３０：枠部
３１：突起部
３２：隆起部
３２ａ：ストッパー部
３２ｂ：ストッパー部
Ｂ：ボウル部
Ｂｗ：気泡混入水
ＦＣ：水栓装置
Ｉａ：気液界面
Ｉｂ：気液界面
Ｉｘ：気液界面
Ｓ：洗面化粧台
Ｗ：水
【図１】
0006394314.tif 000002
【図２】
0006394314.tif 000003
【図３】
0006394314.tif 000004
【図４】
0006394314.tif 000005
【図５】
0006394314.tif 000006